(57)【要約】【課題】  鋼線をＵ字状に折り曲げることがなく、小さな力によって直線状態で鋼線を引き抜くことができる除去式アンカー。【解決手段】  外筒１と、クサビ座筒２と、クサビ片３と、ストッパリング４とによって構成する。クサビ片３群によってＰＣ鋼線Ｂの端部を把持する。クサビ座筒２の円錐筒２３の孔底側には、ストッパリング４を係止するための係止段差を形成する。外筒１の内面にはストッパリング４を配置する。【選択図】        図１
2006225887.tif 000002
【特許請求の範囲】
【請求項１】
ＰＣ鋼線の先端を、定着具を介して耐荷体に取付け、孔内に配置する除去式アンカーの定着具であって、
定着具は、外筒と、クサビ座筒と、ＰＣ鋼線を把持するクサビ片と、ストッパリングとによって構成し、
外筒は、孔底側は閉塞し、孔口側には外筒の内径よりも小さい内径のＰＣ鋼線挿入孔を開口し、
クサビ座筒は外筒の内部に摺動自在に収納した筒体であり、
クサビ片は、中空の円錐台を軸方向に複数に分割した部材であり、クサビ座筒の内部に収納してあり、
クサビ片群によって、ＰＣ鋼線の端部を把持する構成であり、
クサビ座筒の一端は、孔口側の直径を小さくした円錐筒として形成し、
円錐筒の孔底側には、ストッパリングを係止するための係止段差を形成し、
クサビ座筒の他端には、クサビ座筒を孔口側へ押し出す押しバネを配置し、
外筒の内面にはストッパリングを配置して構成した、
除去式アンカーの定着具。
【発明の詳細な説明】
【技術分野】
【０００１】
本発明は、除去式アンカーの定着具に関するものである。
【背景技術】
【０００２】
除去式アンカーとは、アンカーの使用目的が達成された後に、不要となったアンカーの定着具や鋼線を地中から除去するアンカーである。
そのために、従来の除去式アンカーは、例えば図５に示すように、樹脂で被覆したＰＣ鋼線ｂを削孔内に配置した耐荷体ａの位置でＵ字状に折り返して設置し、除去時には鋼線の一端を引き出すことによって除去するものが知られている。
【特許文献１】特公平５−３０９３２号公報
【発明の開示】
【発明が解決しようとする課題】
【０００３】
前記した図５に示すような従来の除去式アンカーにあっては、次のような問題点がある。
＜イ＞削孔した孔内の耐荷体ａの位置でＰＣ鋼線ｂをＵ字状に折り曲げるのであるから、折り曲げ部分には大きな変形外力が作用し、強度が低下する。
＜ロ＞最深部で急な角度で折り曲げたＰＣ鋼線ｂを引き抜く構成であるため、折り曲げ部が大きな抵抗となり、相当に大きな力を与えないと引き抜くことができない。
＜ハ＞大きな力を与えないと引き抜くことができないから、引き抜きのために機械が必要となる。機械で引き抜くためには、機械を据え付ける用地、機械が移動する用地が必要となり、狭い現場では問題が多い。
＜ニ＞直径の太い鋼線ｂはＵ字状に折り返すことができないために、細い鋼線を多数本使用する必要がある。そのために、削孔の直径が大きくなり、あるいは多数本の削孔が必要となり、削孔手間、費用が増大する。
＜ホ＞引き抜きができるように、鋼線ｂはその周囲を樹脂のパイプで被覆し、鋼線の周囲には油脂を塗布してある。そのために引き抜いた鋼線ｂは油脂でまみれており、作業場所が油脂で汚れやすい。また引き抜いて回収した鋼線ｂは油脂でまみれているから再利用できないことはもちろん、廃棄にも特別な配慮が必要となる。
＜へ＞鋼線ｂを除去した後にも地中には鋼線ｂを被覆していた樹脂のパイプと大量の油脂が残ることになる。そのために長年の間に地中に油脂分が滲出して、地盤や地下水を汚染させる可能性もある。
【課題を解決するための手段】
【０００４】
上記のような従来の装置の課題を解決した本発明の除去式アンカーの定着具は、ＰＣ鋼線の先端を、定着具を介して耐荷体に取付け、孔内に配置する除去式アンカーの定着具であって、定着具は、外筒と、クサビ座筒と、ＰＣ鋼線を把持するクサビ片と、ストッパリングとによって構成し、外筒は、孔底側は閉塞し、孔口側には外筒の内径よりも小さい内径のＰＣ鋼線挿入孔を開口し、クサビ座筒は外筒の内部に摺動自在に収納した筒体であり、クサビ片は、中空の円錐台を軸方向に複数に分割した部材であり、クサビ座筒の内部に収納してあり、クサビ片群によって、ＰＣ鋼線の端部を把持する構成であり、クサビ座筒の一端は、孔口側の直径を小さくした円錐筒として形成し、円錐筒の孔底側には、ストッパリングを係止するための係止段差を形成し、クサビ座筒の他端には、クサビ座筒を孔口側へ押し出す押しバネを配置し、外筒の内面にはストッパリングを配置して構成した、除去式アンカーの定着具を特徴としたものである。
【発明の効果】
【０００５】
本発明の除去式アンカーの定着具は以上説明したようになるから、次のような効果を達成することができる。
＜イ＞従来のように狭い孔内で鋼線をＵ字状に折り曲げることがなく、直線状態で鋼線を使用するから、強度が低下することがない。
＜ロ＞鋼線を直線状態で使用するから、従来のＵ字状のアンカーと異なり、大きな抵抗部分が存在しない。そのために長い鋼線であっても人力によって容易に引き抜くことができる。
＜ハ＞引き抜きに大きな力が不要であるから、引き抜きのための機械が不要であり、機械を据え付ける用地、機械が移動する用地が不要で、狭い現場や足場の悪い現場でも容易に引抜作業を行うことができる。
＜ニ＞太い鋼線は小さい直径でＵ字状に折り返すことができないが、本発明ではそのような必要がないから、直径の太い鋼線をアンカーとして使用することができる。そのために、多数本の削孔の必要がなく、削孔手間、費用を大幅に削減することができる。
＜ホ＞鋼線の末端に抵抗がなくなるから、鋼線の周囲に樹脂を介在させて被覆する必要がない。そのために引き抜いた鋼線にはまったく油脂が付着していないから、作業環境が良好であり、引き抜いて回収した鋼線も再利用することができる。
＜へ＞従来のこの種の定着具の多くが油脂を使用しているが、本発明の定着具は油脂を使用していないから、地中に油脂が残ることがなく、地盤や地下水を汚染させる可能性がない。
【発明を実施するための最良の形態】
【０００６】
以下図面を参照しながら本発明の除去式アンカーの定着具の実施例を説明する。
【実施例】
【０００７】
＜１＞全体の構成
本発明の定着具を備えた除去式アンカーの全体図は図４に示すとおりである。
すなわち、複数個の耐荷体Ａと複数本のＰＣ鋼線Ｂの先端を、本発明の定着具Ｃを介して接続し、孔内に配置してジャッキＤによって緊張する。
除去に際しては耐荷体Ａと定着具Ｃは地中に残し、Ｃ定着具から開放されたＰＣ鋼線Ｂを孔外に引き出して除去する。
そして本発明の定着具Ｃは、後記で詳説するように、外筒１と、クサビ座筒２と、ＰＣ鋼線を把持するクサビ片３と、ストッパリング４とによって構成する。
【０００８】
＜２＞外筒１
外筒１は、中空の筒体である。
そして孔底側（定着具をアンカー孔内に配置した場合に、アンカー孔の最深部側のこと、以下同じ）は閉塞する。
定着具の孔口側には栓体１１をねじ込んで閉塞するが、栓体１１には外筒１の内径よりも小さい内径のＰＣ鋼線挿入孔１２を開口する。
栓体中央のＰＣ鋼線挿入孔１２の内径は、外筒１の内径よりも小さいから、栓体の周囲には係止段２４が形成される。
この係止段２４によってクサビ座筒２を支持する。
外筒１の内面には、筒の中心軸に対して横断方向に、円周溝４１を形成し、この円周溝４１の内部にストッパリング４を収納する。
このストッパリング４は、内側へ収縮する弾性を備えているが、通常は内部にクサビ座筒２の円錐筒２３を位置させておき、ストッパリング４が内側へ収縮することができないように構成してある。
【０００９】
＜３＞クサビ座筒２
クサビ座筒２は外筒１の内部に摺動自在に収納した筒体である。
このクサビ座筒２の筒体の内部の直径は、孔口側へ向けて徐々に小さくなるように構成し、この傾斜面がクサビ片３のスライド面となる。
クサビ座筒２の外形は、孔底側に大径の筒２１を、孔口側には先端の直径を小さくした円錐筒２３として形成し、大径の筒２１と、円錐筒２３との間には、両者の外径よりも直径の小さい小径部２２を形成する。
さらにこの円錐筒２３の孔底側と、小径部２２との段差が、ストッパリング４を係止するための係止部２４を形成する。
【００１０】
＜４＞クサビ片３
クサビ片３は、中空の円錐台を軸方向に複数に分割した形状の複数の部材である。
このクサビ片３は、クサビ座筒２の内部に収納してあり、クサビ座筒２の内面の直径は、孔口側へ向けて徐々に小さくなるように構成あるから、クサビ片３群の内部にＰＣ鋼線Ｂを位置させて孔口側へ引き寄せると、周囲のクサビ片３群の内径が収縮し、この収縮によって、ＰＣ鋼線Ｂの端部を周囲から強固に把持することができる。
このような、クサビ片３群によるＰＣ鋼線Ｂの把持の機構は公知である。
【００１１】
＜５＞押しバネ７
クサビ座筒２の孔底側には、クサビ座筒２を孔口側へ押し出す押しバネ７を配置する。
この押しバネ７の弾力によってクサビ座筒２には孔口側へ押し出す力を与えているが、その押し出し力は小さく、クサビ座筒２が外筒１内で遊動しない程度の力であり、クサビ座筒２の位置はストッパリング４によって拘束されている。
【００１２】
＜６＞次の作動について説明する。
【００１３】
＜７＞緊張前
削孔したアンカー孔の外で、ＰＣ鋼線Ｂごとに、その先端に各々本発明の定着具Ｃを取りつける作業を行う。  
そのために、定着具Ｃの外筒１のＰＣ鋼線挿入孔１２からＰＣ鋼線Ｂを挿入する。
ＰＣ鋼線Ｂの先端は被覆を剥がしてあり、鋼線が露出している。
このＰＣ鋼線Ｂの露出部をクサビ片３群の中心にいったん挿入した後、ＰＣ鋼線Ｂを軽く引き出すだけでクサビ片３がクサビ座筒２内の傾斜面をスライドしてＰＣ鋼線Ｂを強固に把持する。
こうして１本のＰＣ鋼線ＢＢの一端に１個の定着具ＣＣを取付ける。
長さの異なる複数本のＰＣ鋼線Ｂにおのおの定着具Ｃを取付け、各定着具Ｃには耐荷体を取りつけて、それらを複数の位置でテープで束ねて、１本のテンドンを構成する。
なお、図４の実施例は２本のＰＣ鋼線Ｂで１個の耐荷体を取付ける状態を説明しているが、他の公知の構成を採用することもできる。
【００１４】
＜８＞ＰＣ鋼線Ｂの緊張
孔の外に露出した複数本のＰＣ鋼線Ｂの端を１台のジャッキによって同時に引っ張って緊張する。
するとＰＣ鋼線Ｂを拘束したクサビ座筒２は、孔口側へ移動し強固に把持される。
【００１５】
＜９＞クサビ座の係合
前記したようにＰＣ鋼線Ｂの緊張によってクサビ座筒２は孔口側に移動するが、この際にクサビ座筒２の外周の係止段２４がストッパリング４の位置を越えて孔口側へ移動する。
すると内側への収縮力を与えてあるストッパリング４が係止段２４を乗り越える。
外筒１の内周面とクサビ座筒２の内周面との間隔がわずかであるため、ストッパリング４の一部が円周溝４１にも係合する。
その結果、クサビ座筒２は、ストッパリング４を介在させて、円周溝４１に係合してしまうから、孔底側へ復帰する移動は阻止される。
【００１６】
＜１０＞ＰＣ鋼線Ｂの除去
仮設の工事が終了してアンカーの用途が収容したら、孔外においてジャッキによる定着を解除する。
するとＰＣ鋼線Ｂの引張力が解除されるが、クサビ座筒２はストッパリング４によって位置が拘束されており戻ることはできない。
その状態で、ＰＣ鋼線Ｂを孔外から孔底側に押しこむと、クサビ片３だけが孔底側に移動し、周囲の拘束から開放される。
その結果、ＰＣ鋼線Ｂには把持力が作用しなくなり、そのまま人力によっても簡単に孔外へ引き出すことができる。
【図面の簡単な説明】
【００１７】
【図１】本発明の除去式アンカーの定着具の実施例の説明図。
【図２】ＰＣ鋼線を緊張した状態の定着具の説明図。
【図３】ＰＣ鋼線を除去した状態の定着具の側面図。
【図４】本発明の定着具を備えた除去式アンカーの説明図。
【図５】従来の除去式アンカーの一例の説明図。
【符号の説明】
【００１８】
Ａ：耐荷体
Ｂ：ＰＣ鋼線
Ｃ：定着具
１：外筒
２：クサビ座筒
３：クサビ片
４：ストッパリング
【図１】
2006225887.tif 000003
【図２】
2006225887.tif 000004
【図３】
2006225887.tif 000005
【図４】
2006225887.tif 000006
【図５】
2006225887.tif 000007